(57)【要約】【課題】外部装置との接続部における耐久の信頼性を向上することができる光電変換装置及び撮影装置を提供する。【解決手段】フラットパネルディテクター（ＦＰＤ）２０の筐体２２の側面に把持部２３を設けると共に、把持部２３に対向する面を平面で構成する。また、ＦＰＤ２０と外部装置３０とを接続するためのケーブル４０のケーブルコネクタ４１が接続される接続部２４を、筐体２２の外形より内側に配置し、その接続口２５を把持部２３に対向する面側に設ける。【選択図】図２
2009205046.tif 000002
【特許請求の範囲】
【請求項１】
入射した光を電気信号に変換する光電変換素子を有する固体検出器と、該固体検出器を内包する筐体と、前記筐体に設けられ、前記固体検出器と外部装置とを電気的に接続する接続部とを備える光電変換装置において、
前記固体検出器の光入射面に対向する面を前記筐体の正面としたとき、当該筐体の側面の少なくとも一部に把持部が設けられていると共に、前記把持部に対向する面が平面で構成されており、前記接続部は、前記筐体の外形より内側に配置され、その接続口が前記把持部に対向する面側に設けられていることを特徴とする光電変換装置。
【請求項２】
前記接続部は、前記筐体に固定された第１の接続部と、該第１の接続部と着脱可能な第２の接続部とで構成され、前記第１の接続部に前記第２の接続部が装着された状態では、前記外部装置が前記第２の接続部に接続され、前記第２の接続部が前記第１の接続部から取り外された状態では、前記外部装置が前記第１の接続部に接続されるように構成されていることを特徴とする請求項１に記載の光電変換装置。
【請求項３】
前記接続部は、前記筐体の外形より内側に位置する状態から、当該筐体の外形より外側に突出した状態となるように、摺動可能に構成されていることを特徴とする請求項１又は２に記載の光電変換装置。
【請求項４】
前記接続部と着脱可能に構成され、前記接続部に装着されたときに前記接続口を塞ぐ保護部材を備え、前記接続部は、装着時の前記保護部材が前記筐体の外形より内側に位置するように配置されていることを特徴とする請求項１乃至３の何れか１項に記載の光電変換装置。
【請求項５】
前記請求項１乃至４の何れか１項に記載の光電変換装置と、前記光電変換装置と電気的に接続され、前記光電変換装置からの信号を処理する外部装置とを備えることを特徴とする撮影装置。
【発明の詳細な説明】
【技術分野】
【０００１】
本発明は、光電変換素子から構成される光検出素子を有する光電変換装置、及び光電変換装置を搭載した撮影装置に関する。
【背景技術】
【０００２】
近年、医療用などのＸ線撮影は、銀塩フィルムなどを用いたアナログ手法から、カセッテと呼ばれる輝尽発光体が形成された板にＸ線照射情報を記録撮影し、別途レーザーなどで照射像を読み取りデジタル化するＣＲ(Computed Radiography)法、さらにはＰＩＮ素子やＭＩＳ素子のような光電変換素子とＴＦＴアクテティブスイッチとを組み合わせた２次元イメージセンサ基板上に、放射線を可視光変換するシンチレータを形成した間接変換型放射線デジタル撮像器（ＦＰＤ：フラットパネルディテクター）、あるいはａ−Ｓｅのように放射線を直接光電変換する材料とＴＦＴアクティブスイッチとを組み合わせた直接変換型ＦＰＤが開発され実用に供している。
【０００３】
このようなＦＰＤとしては、７０〜２００μｍの分解能を持ちながら大面積等倍露光が可能という利点から、ＣＴ装置やアンギオ装置といった比較的大きなシステムに組み込まれた固定型と、放射線源と共にＦＰＤを患者のいる場所に持ち歩いて設置することができる可搬型の２タイプがある。
可搬型ＦＰＤの場合、医療関係者が持ち歩くという観点から、小型軽量化することが強く望まれる。そこで、電源供給部やメモリー部をＦＰＤとは別に設けて小型軽量化を図った放射線検出システムが知られている（例えば、特許文献１参照）。
【０００４】
また、外部電源や外部回路との接続部の位置が患者とベッドとの間にあると、ケーブルを接続部に接続する際に、患者に対して姿勢を変える動作を強いることになってしまうため、当該接続部の設置場所にも工夫が講じられている（例えば、特許文献２参照）。
【特許文献１】特開２００２−１８１９４２号公報
【特許文献２】特許第３６１０３４８号明細書
【発明の開示】
【発明が解決しようとする課題】
【０００５】
しかしながら、ＦＰＤに設けられた接続部（コネクタ部）はケーブルとの頻繁な着脱作業に晒されることが予想されるものの、上記各特許文献に記載の放射線撮影装置にあっては、この接続部の耐久性について何らの見解も示されていない。また、コネクタ部がＦＰＤの外形より飛び出していると、持ち運びや収納時に不用意な衝撃を受けやすく不具合を生じる可能性が高いため、これを防止したデザインがなされるべきであるが、この点についても何らの見解も示されていない。
【０００６】
そこで、本発明は、外部装置との接続部における耐久の信頼性を向上することができる光電変換装置及び撮影装置を提供することを課題としている。
【課題を解決するための手段】
【０００７】
上記課題を解決するために、本発明に係る光電変換装置は、入射した光を電気信号に変換する光電変換素子を有する固体検出器と、該固体検出器を内包する筐体と、前記筐体に設けられ、前記固体検出器と外部装置とを電気的に接続する接続部とを備える光電変換装置において、前記固体検出器の光入射面に対向する面を前記筐体の正面としたとき、当該筐体の側面の少なくとも一部に把持部が設けられていると共に、前記把持部に対向する面が平面で構成されており、前記接続部は、前記筐体の外形より内側に配置され、その接続口が前記把持部に対向する面側に設けられていることを特徴としている。
【０００８】
これにより、接続部が、持ち運びや収納時に物理的衝撃を受けることを防止することができる。特に、筐体に把持部が設けられている場合、操作者はこの把持部を掴んで持ち運びや収納作業を行うと考えられる。このとき、把持部に対向する面が平面で構成されているので、把持部を上方に向けた状態で机上や収納棚等に置く（縦置きする）ことができる。
【０００９】
また、このように把持部を上方に向けた状態で収納等を行う場合、把持部に対向する側に、筐体の外形より外側に突出した接続部が存在すると、接続部が衝撃を受けて不具合を生じるおそれがあるが、接続部が筐体の外形より内側に配置された構造であるので、このような不用意な衝撃を受けることを防止することができる。
さらに、接続部が把持部に対向する面に設けられているため、この光電変換装置を、例えば医療用の放射線撮影装置に適用し、ベッドに横たわっている被検者に対して撮影を行う場合、操作者が把持部を掴んで光電変換装置をベッドと被検者との間に挿入した後の外部装置との接続作業を容易に行うことができる。
【００１０】
また、本発明に係る光電変換装置は、上記において、前記接続部は、前記筐体に固定された第１の接続部と、該第１の接続部と着脱可能な第２の接続部とで構成され、前記第１の接続部に前記第２の接続部が装着された状態では、前記外部装置が前記第２の接続部に接続され、前記第２の接続部が前記第１の接続部から取り外された状態では、前記外部装置が前記第１の接続部に接続されるように構成されていることを特徴としている。
【００１１】
これにより、第２の接続部に不具合が生じた場合であっても、第２の接続部を取り外し、第１の接続部を使用して外部装置との接続が可能となるので、光電変換装置全体を修理する必要がない。
さらに、本発明に係る光電変換装置は、上記において、前記接続部は、前記筐体の外形より内側に位置する状態から、当該筐体の外形より外側に突出した状態となるように、摺動可能に構成されていることを特徴としている。
【００１２】
これにより、接続部を筐体の外形から外側に引き出した状態で、外部装置を接続するためのケーブルとの接続作業を行ったり、第２の接続部の取り外し作業を行ったりすることができ、作業効率を向上させることができる。
また、本発明に係る光電変換装置は、上記の何れか１つにおいて、前記接続部と着脱可能に構成され、前記接続部に装着されたときに前記接続口を塞ぐ保護部材を備え、前記接続部は、装着時の前記保護部材が前記筐体の外形より内側に位置するように配置されていることを特徴としている。
【００１３】
これにより、保護部材を接続部に装着することで、意図しない水分や薬剤の飛散やベッドの糸くず等の異物の侵入から接続部を保護することができる。また、保護部材を装着した状態でも、把持部に対向する面を平面とすることができるので、縦置き収納に支障がない。
さらにまた、本発明に係る撮影装置は、上記の何れか１つの光電変換装置と、前記光電変換装置と電気的に接続され、前記光電変換装置からの信号を処理する外部装置とを備えることを特徴としている。
【００１４】
これにより、光電変換装置と外部装置との接続部における耐久の信頼性を向上させた撮影装置とすることができる。
【発明を実施するための最良の形態】
【００１５】
以下、本発明の実施の形態を図面に基づいて説明する。
図１は本実施形態の光電変換装置を適用した放射線デジタル撮影装置１の概略図である。この放射線デジタル撮影装置１は、照射された放射線により被写体の内部構造をデジタル画像データとして取得するものである。
放射線デジタル撮影装置１は、図１に示すように、放射線発生装置１０と、フラットパネルディテクター（ＦＰＤ）２０と、外部装置３０と、ＦＰＤ２０と外部装置３０とを電気的に接続するケーブル４０とを備えている。
【００１６】
放射線発生装置１０は、放射線管球１１と、高圧発生装置１２と、放射線絞り１３とを備える。放射線管球１１は、外部装置３０によって制御される高圧発生装置１２によって駆動されることで、放射線ビームとして、例えば、Ｘ線ビームを放射する。この放射線ビームの照射野は、放射線絞り１３によって調整可能となっている。
放射線ビームは、被写体の撮影部位に向けられ、被写体を透過した後にＦＰＤ２０に照射される。ＦＰＤ２０の放射線検出器（固体検出器）２１は、微小な光電変換素子及びスイッチング素子等から構成される光検出素子が格子状に配列された２次元アレーセンサと、該２次元アレーセンサに対して光（放射線）入射側に積層された放射線を可視光に変換するシンチレータとで構成されており、被写体を透過した放射線を可視光に変換し、かかる可視光を電気信号に変換して被写体のデジタル画像データを形成する。
【００１７】
なお、このＦＰＤ２０が光電変換装置に対応している。
外部装置３０は、ＦＰＤ２０に電源を供給するための電源回路部３１と、ＦＰＤ２０を駆動する制御信号の出力及び各種画像処理を行うための制御回路部３２と、制御回路部３２で各種処理が施されたデジタル画像データを保存する記憶回路３３とから構成されている。そして、撮影時には、ケーブル４０を介して、ＦＰＤ２０に対して電源の供給及び制御信号の送信を行い、撮影後は、同ケーブル４０を介して、ＦＰＤ２０からデジタル画像データを受信する。
【００１８】
ケーブル４０は、電源系と信号系との複合ケーブルであり、外部装置３０側の端部は、電源線と信号線とに分離して電源回路部３１及び制御回路部３２に接続されている。また、ＦＰＤ２０側の端部にはケーブルコネクタ４１が設けられており、このケーブル４０は、ケーブルコネクタ４１を介して、ＦＰＤ２０の後述する接続部に着脱可能となっている。
【００１９】
図２は、ＦＰＤ２０の概略構成を示す図である。この図２は、ＦＰＤ２０を放射線入射面（光入射面）から見た平面図である。放射線入射面（光入射面）は、上述した被写体を透過した放射線が入射される側の面である。
ＦＰＤ２０は、被写体を透過した放射線が入射される略直方形の放射線検出器（固体検出器）２１と、放射線検出器２１を内包する筐体２２とを備えている。筐体２２は、放射線入射面を含む面を正面としたとき、４つの側面のうち一面に、操作者が掴むための把持部２３が設けられている。
【００２０】
また、筐体２２の側面において、把持部２３が設けられている面と対向する面はフラットに形成されていると共に、この面にケーブル４０のケーブルコネクタ４１が接続されるための接続部２４の接続口２５が設けられている。
ここで、接続部２４は、筐体２２の外形より内側に位置するように配置されている。なお、この接続部２４の構造については、後に図４及び図５を用いて詳述する。
【００２１】
次に、放射線デジタル撮影装置１を用いた放射線撮影手順について説明する。
図３は、ＦＰＤ２０の配置例を示す図である。ここでは、腹部撮影時について説明する。
まず、操作者は、ケーブル４０が接続されていない状態のＦＰＤ２０を、図３（ｂ）に示すように、被検者Ｐの腹部とベッドＢとの間に挿入する。このとき、操作者は、ＦＰＤ２０の把持部２３を掴んだ状態で、ＦＰＤ２０を撮影の適切な位置（ここでは被検者Ｐの腹部の下）に挿入する。
【００２２】
したがって、撮影時には、ＦＰＤ２０の把持部２３は、常にＦＰＤ２０を挿入する側を向くように配置される。例えば、操作者がベッドＢの長手方向に立ち、被検者Ｐの側部からＦＰＤ２０を挿入した場合、図３（ａ）に示すように、把持部２３はベッドＢの長手方向側（図３（ａ）では下側）を向くことになる。
ＦＰＤ２０を配置すると、操作者は、ＦＰＤ２０の接続部２４にケーブル４０を接続する。接続部２４は把持部２３に対向する面に設けられているため、この接続部２４にあっても、把持部２３と同様にベッドＢの長手方向側（図３（ａ）では上側）に向くように配置されることになる。
【００２３】
そのため、接続部２４の接続口２５が被検者Ｐの下に位置してしまうことがなく、操作者は、容易にＦＰＤ２０とケーブル４０との接続作業を行うことができる。また、ケーブル４０の接続のために、被検者Ｐに対して姿勢を変える動作を強いる必要もない。
ケーブル４０がＦＰＤ２０に接続されると、電源回路部３１からＦＰＤ２０に対して電源が供給されると共に、制御回路部３２からの制御信号の送信が可能な状態となる。
【００２４】
このとき、操作者は、外部装置３０のモニタ等に表示される様々な部位、例えば頭部、腹部、腰部、膝部などの部位と、各部位の撮影に適した撮影条件（放射線管電圧、管電流、放射線照射時間など）や撮影タイミング、画像処理条件、取り込み画像の処理方法などを確認し、外部装置３０の図示しないインターフェース部を介して、所望する部位（ここでは腹部）を選択する。
【００２５】
インターフェース部としては、例えば、タッチパネル、マウス、キーボード、フットスイッチなどがある。
そして、外部装置３０は、インターフェース部への入力を受けてＦＰＤ２０及び放射線発生装置１０を駆動する。これにより、放射線発生装置１０の放射線管球１１から放射線ビームＸが放射されて、ベッドＢの上に横たわった被検者Ｐに向けられる。
【００２６】
放射線ビームＸは、被検者Ｐを透過した後にＦＰＤ２０に照射され、照射された被検者Ｐの放射線像はＦＰＤ２０内のシンチレータで可視光に変換される。変換された可視光は２次元アレーセンサで光電変換される。その後、増幅処理、ＡＤ変換処理が施され、シリアライズされたデジタル画像データとして、ＦＰＤ２０からケーブル４０を介して外部装置３０へ伝送される。
【００２７】
外部装置３０では、腹部の撮影に適したデジタル画像データの補正、空間フィルタリング処理などをリアルタイムで行ったり、階調処理、ＤＲ圧縮処理等を行ったりする。そして、処理された画像は外部装置３０に設けられたモニタ等に表示される。
また、リアルタイム画像処理と同時に、処理されたデジタル画像データは、外部装置３０の記憶回路３３に保存される。記憶回路３３としては、大容量、高速かつ高信頼性を満たすデータ保存装置が好ましく、例えばＲＡＩＤ等のハードディスクアレーなどが好ましい。
【００２８】
デジタル画像データが記憶回路３３に保存された後は、操作者がケーブル４０をＦＰＤ２０から取り外し、ＦＰＤ２０を被検者ＰとベッドＢの間から抜き出して撮影作業が終了する。
ところで、上述したように、ＦＰＤの接続部は、ケーブルとの頻繁な着脱作業に晒されるため、この接続部の耐久性については高い信頼性が望まれる。
【００２９】
しかしながら、この接続部がＦＰＤの外形（筐体の外形）より外側に飛び出した位置に配置されていると、撮影時のＦＰＤの配置や持ち運び、収納時などにおける不用意な衝撃を受け易く、動作不具合を生じ易い。
また、操作者は把持部を掴んでＦＰＤを持ち運ぶため、ＦＰＤを、把持部が上方を向いた状態で床や机上に置いたり収納したりする、所謂縦置きする可能性が高い。このとき、突出した接続部が把持部に対向する面に配置されていると、接続部が衝撃を受けてしまう。
【００３０】
そこで、本実施形態では、ＦＰＤ２０の接続部２４を筐体２２内に収め、筐体２２の外形から飛び出さないようにすることで、接続部２４が上記のような不用意な接触衝撃を受けないようにする。
【００３１】
図４は、ＦＰＤ２０の斜視図である。
この図４に示すように、ＦＰＤ２０の把持部２３に対向する面側（接続側）からは、接続部２４の接続口２５が視認可能な状態となっている。筐体２２の接続側の面は、所定の深さα（ここでは数ミリ程度）を有する袴状に形成されており、その底部に相当する面２２ａと接続口２５とが同一平面上に位置するように接続部２４を配置することで、当該接続部２４が筐体２２の外形より内側に位置するようになっている。また、筐体２２の接続側の面に形成された開口部２２ｂは平面を構成している。
【００３２】
さらに、接続部２４の近傍にはスライドスイッチ２６が設けられており、このスライドスイッチ２６を操作することで、接続部２４を、筐体２２の外形より内側に位置した状態から、筐体２２の外形より外側に突出した状態へ摺動させることができるようになっている。
【００３３】
図５は、接続部２４を突出させた状態を示す斜視図である。
接続部２４の側面には、接続部２４の摺動方向に沿って一対のスライドガイド２７が設けられている。これにより、接続部２４の円滑な摺動が可能となっている。
接続部２４は、筐体２２に固定された第１の接続部２４Ａと、第１の接続部２４Ａに嵌合し当該第１の接続部２４Ａに着脱可能な第２の接続部２４Ｂとで構成されている。
通常は、図５に示すように、第２の接続部２４Ｂを第１の接続部２４Ａに装着した状態で、ケーブル４０のケーブルコネクタ４１を第２の接続部２４Ｂに接続することで、外部装置３０とＦＰＤ２０とを電気的に接続する。
【００３４】
そして、第２の接続部２４Ｂに不具合が生じた場合などには、第２の接続部２４Ｂを第１の接続部２４Ａから取り外し、ケーブル４０のケーブルコネクタ４１を第１の接続部２４Ａに接続することで、外部装置３０とＦＰＤ２０との接続が可能となっている。
また、第１の接続部２４Ａと第２の接続部２４Ｂとは、異なる色付けがなされており、第２の接続部２４Ｂの位置が一目で分かるようになっている。
【００３５】
なお、接続部２４においては、第１の接続部２４Ａに第２の接続部２４Ｂを装着した状態で固定するロック機構を設けるようにしてもよい。この場合、第１の接続部２４Ａから第２の接続部２４Ｂを取り外すときのみロック機構を解除するようにする。これにより、第２の接続部２４Ｂに対してケーブルコネクタ４１の抜き差しを行う際に、誤って第２の接続部２４Ｂが第１の接続部２４Ａから外れてしまうのを防止することができる。
【００３６】
ところで、医療用の放射線デジタル撮影装置は、上述したように、被検者とベッドとの間に挿入して使用する場合があることから、ＦＰＤの接続部は、ベッドの糸くず等から適切に保護される必要がある。また、意図しない水分や薬剤の飛散からも保護される必要がある。
そこで、未使用時には、ＦＰＤ２０の接続部２４に保護キャップを装着することが好ましい。
【００３７】
図６は、保護キャップの一例を示す図である。
この保護キャップ５０は、図６に示すように、嵌合部５１と蓋部５２とで構成されている。蓋部５２は接続口２５と同等若しくは接続口２５より僅かに大きく形成されており、嵌合部５１を接続部２４に内嵌することで保護キャップ５０が装着状態となり、蓋部５２が接続口２５を塞ぐようになっている。これにより、外部から接続部２４への異物の混入が防止される。
【００３８】
また、蓋部５２の厚さβは、筐体２２の開口部２２ｂの深さαと同等かそれ以下に設計されている。これにより、保護キャップ５０を接続部２４に装着した状態でも、保護キャップ５０が筐体２２の外形より外側に飛び出すことはない。
なお、保護キャップ５０が保護部材に対応している。
このように、上記実施形態では、ＦＰＤの筐体の側面に把持部を設けるので、ベッドに横たわっている被検者に対して撮影を行う場合、操作者がこの把持部を掴んでＦＰＤをベッドと被検者との間に容易に挿入したり、ベッドと被検者との間から容易に抜き出したりすることができると共に、持ち運びや収納作業等も容易に行うことができ、作業効率を向上させることができる。
【００３９】
また、筐体の把持部に対向する面を平面で構成するので、操作者が把持部を掴んでＦＰＤを持ち運び、そのまま縦置き収納することができる。
さらに、外部装置との接続部を筐体の外形より内側に配置するので、接続部が持ち運びや収納時に物理的衝撃を受けることを防止することができる。また、接続部の接続口を把持部に対向する面側に設けるので、撮影時に、操作者が把持部を掴んでＦＰＤをベッドと被検者との間に挿入したときの外部装置との接続作業を容易に行うことができる。
【００４０】
また、接続部を、筐体に固定された第１の接続部と、該第１の接続部と着脱可能な第２の接続部とから構成するので、第２の接続部に不具合が生じた場合であっても、当該第２の接続部を取り外し、第１の接続部を使用して外部装置との接続が可能となるので、ＦＰＤ全体を修理する必要がない。
さらに、接続部は、筐体の外形より内側に位置する状態から、筐体の外形より外側に突出した状態へ摺動可能なスライド機構を有するので、接続部を筐体の外形から外側に引き出した状態で、外部装置を接続するためのケーブルとの接続作業を行ったり、第２の接続部の取り外し作業を行ったりすることができ、作業効率を向上させることができる。
【００４１】
さらにまた、第１の接続部と第２の接続部とを異なる色にするので、スライド機構により接続部を引き出すことで、操作者は接続部の位置を一目で認識することができる。その結果、ケーブルとの接続作業や、第２の接続部の取り外し作業を容易に行うことができる。
また、ＦＰＤの未使用時には、接続部の接続口を塞ぐ保護キャップを装着するので、意図しない水分や薬剤の飛散や、ベッドの糸くず等の異物の侵入による接続部の不具合発生を防止することができる。このとき、保護キャップを装着した状態でも、把持部に対向する面を平面とすることができるので、縦置き収納に支障がない。
なお、上記実施形態においては、ＦＰＤ２０の把持部２３及びそれに対向する接続部２４を１つずつ設ける場合について説明したが、それぞれ複数個設けることもできる。
【００４２】
図７は、ＦＰＤ２０の変形例であるＦＰＤ６０を示す図である。
この図７に示すように、ＦＰＤ６０を放射線入射面から見たとき、ＦＰＤ６０が略長方形を成しているとすると、一対の長辺６１及び６２にそれぞれ把持部６３及び接続部６４を設け、一対の短辺６５及び６６にそれぞれ把持部６７及び接続部６８を設けることもできる。
【００４３】
このような構成により、ＦＰＤ６０を９０°回転した状態で使用する場合であっても、撮影時のＦＰＤ６０の抜き差しやケーブル４０との接続作業を容易に行うことができる。また、接続部６４及び６８の接続口が設けられた面を平面で構成することで、把持部６３，６７の何れを上方に向けた状態であっても縦置き収納が可能となる。
また、上記実施形態においては、ＦＰＤ２０の接続部２４にケーブル４０のケーブルコネクタ４１を接続することで、ＦＰＤ２０と外部装置３０とを接続する場合について説明したが、例えば、ベッドに設けられた外部装置３０との接続口に、直接ＦＰＤ２０を接続することもできる。
【００４４】
図８は、放射線デジタル撮影装置１の変形例を示す図である。
この図８に示す例では、ベッドＢ´の表面に接続口７０ａ〜７０ｆが設けられている。これら接続口７０ａ〜７０ｆはそれぞれベッドＢ´内に配線されたケーブルを介して外部装置３０と繋がっている。接続口７０ａ〜７０ｆは、例えば、ベッドＢ´に被検者Ｐが横たわったときの頭部、腹部、膝部に相当する箇所に設けられているものとする。
【００４５】
被検者Ｐの頭部を撮影する場合、操作者は、ＦＰＤ２０の把持部２３を掴んで、ＦＰＤ２０を被検者Ｐの頭部とベッドＢ´との間に挿入する。このとき、ＦＰＤ２０の挿入と同時に、そのまま直接、被検者Ｐの頭部近傍に設けられた接続口７０ｃにＦＰＤ２０の接続部２４を接続する。
このように、ベッドに外部装置３０との接続機構が設けられている場合には、操作者が手作業でケーブル４０をＦＰＤ２０の接続部２４に接続する手間が省ける。
【００４６】
なお、上記実施形態においては、本発明を、医療用の診断に用いる放射線デジタル撮影装置に適用する場合について説明したが、工業用の非破壊検査等に用いられる放射線デジタル撮影装置にも適用することができる。また、放射線発生装置１０でＸ線を発生する場合について説明したが、α線、β線、γ線、電子線、紫外線等を発生する装置とすることもできる。
【図面の簡単な説明】
【００４７】
【図１】本実施形態における放射線デジタル撮影装置の概略図である。
【図２】ＦＰＤの概略構成を示す図である。
【図３】ＦＰＤの配置例を示す図である。
【図４】ＦＰＤの斜視図である。
【図５】接続部を突出させた状態を示す斜視図である。
【図６】保護キャップの一例を示す図である。
【図７】ＦＰＤの変形例を示す図である。
【図８】放射線デジタル撮影装置の変形例を示す図である。
【符号の説明】
【００４８】
１…光電変換装置（放射線デジタル撮影装置）、１０…放射線発生装置、２０…ＦＰＤ、２１…放射線検出器、２２…筐体、２３…把持部、２４…接続部、２５…接続口、２６…スライドスイッチ、２７…スライドガイド、３０…外部装置、３１…電源回路部、３２…制御回路部、３３…記憶回路、４０…ケーブル、４１…ケーブルコネクタ、５０…保護キャップ
【図１】
2009205046.tif 000003
【図２】
2009205046.tif 000004
【図３】
2009205046.tif 000005
【図４】
2009205046.tif 000006
【図５】
2009205046.tif 000007
【図６】
2009205046.tif 000008
【図７】
2009205046.tif 000009
【図８】
2009205046.tif 000010